(57)【要約】【課題】  活性化を高めた健康維持、健康促進等に有効な活水を製造する。【解決手段】  内部にセラミックボール３０が充填されるとともに、内部に導いた原水を前記セラミックボール３０と接触させることにより、原水をセラミック処理して一次処理水を製造する一次活水器３と、一次活水器３で製造された一次処理水を回収して、再び一次活水器３に供給することを繰り返すことにより、一次処理水を複数回一次活水器３を循環させる循環系統３と、内部に磁石体が収納されるとともに、一次活水器３を複数回循環させた一次処理水を内部に導いて磁石体と接触させることにより、一次処理水を磁気処理して二次処理水を製造する二次活水器とを備える。【選択図】        図２
2005095790.tif 000002
【特許請求の範囲】
【請求項１】
内部にセラミックボールが充填されるとともに、原水供給口から供給される原水と原水を前記セラミックボールと接触させて水を循環させて複数回前記セラミックボールに接触させて一次処理水を製造する一次活水器と、この一次活水器に連接されている原水の供給部分の反対側に吸水口があり、原水供給部分の近くに吐出口がある循環系統と、前記原水と前記循環系統の循環水を再度一次活水器内に強制的に送る送水器と、一次活水器を複数回循環させた一次処理水を内部に導いて磁界を作用させることにより、活性水素を含む活水にする二次活水器とを備えてなることを特徴とする活水装置。
【請求項２】
前記一次活水器内には、複数個のセラミックボールを一次活水器内の所定の位置に保持し、セラミックボールが転動して互いに接触するのを阻止する保持機構が少なくとも一カ所設けられている請求項１に記載の活水装置。
【請求項３】
原水を一次活水器内に導いて一次活水器内に収容されているセラミックボールと接触させ、この水を一次活水器に連接された強制循環系統により一次活水器内に複数回強制循環させて一次処理水とし、この一次処理水を二次活水器内に導き、そこで磁界を作用させることにより一次処理水を磁気処理することにより、活性水素を含む活水にすることを特徴とする活水の製造方法。
【請求項４】
一次活水器内への水の循環が平均３回以上となるように強制循環させるようにした請求項３記載の活水の製造方法。
【請求項５】
一次活水器内への原水の供給と強制循環系統を経た水の供給とが同一のまた別のポンプによって行われる請求項３記載の活水の製造方法。
【発明の詳細な説明】
【技術分野】
【０００１】
本発明は、活水装置及び活水の製造方法に関し、特に、水道水等の原水をセラミック処理及び磁気処理することにより、原水を活性化させる活水装置及び活水の製造方法に関するものである。
【背景技術】
【０００２】
近年の研究により、水道水等の原水をセラミックを通してセラミック処理し、さらにマグネットを通して磁気処理することにより、活性化された健康に良い活水が得られることが一般に知られている。
【０００３】
このような活性化された水は、クラスターが小さくなっているので、細胞への浸透率が高まり、浄化作用も高まり、血液や細胞の老廃物を取り除く等の効果が得られる（例えば、非特許文献１参照。）。
【０００４】
近年、上記のようなセラミックによるセラミック処理とマグネットによる磁気処理との相乗効果により、水道水等の原水を活性化させるように構成した各種の活水装置が提案されている。
【０００５】
例えば、フィルタと、内部にセラミックボール及び磁気活水部を収納した活水器と、タンクとをそれらの順に管路を介して接続し、流入口から管路内に導いた水道水等の原水をフィルタ及び活水器を介して活水化して活水を製造し、この活水をタンクに導き、タンクの排出口から排出するように構成した活水装置が提案されている（例えば、特許文献１参照。）。
【０００６】
しかしながら、上記のような構成の活水装置にあっては、水道水等の原水は、フィルタ及び活水器を１回通した後にタンク内に導いているので、水道水等の原水を十分に活性化することができず、健康の促進、維持等に期待したほどの効果が得られない。
【非特許文献１】水新聞、１９９８年秋号、発行所：「水の会２１」本部
【特許文献１】特開２００１−４７０５７号公報
【発明の開示】
【発明が解決しようとする課題】
【０００７】
本発明は、上記のような従来の問題に鑑みなされたものであって、水道水等の原水を十分に活性化することができて、健康の促進、健康の維持等に優れた効果を発揮することができる活水が得られる活水装置及び活水の製造方法を提供することを目的とするものである。
【課題を解決するための手段】
【０００８】
本発明は、上記のような課題を解決するために、以下のような手段を採用している。すなわち、請求項１に係る発明は、内部にセラミックボールが充填されるとともに、原水供給口から供給される原水と原水を前記セラミックボールと接触させて水を循環させて複数回前記セラミックボールに接触させて一次処理水を製造する一次活水器と、この一次活水器に連接されている原水の供給部分の反対側に吸水口があり、原水供給部分の近くに吐出口がある循環系統と、前記原水と前記循環系統の循環水を再度一次活水器内に強制的に送る送水器と、一次活水器を複数回循環させた一次処理水を内部に導いて磁界を作用させることにより、活性水素を含む活水にする二次活水器とを備えてなることを特徴とする。
本発明による活水装置によれば、水道水等の原水は、一次活水器内に導かれてセラミックボールと接触することにより、セラミック処理されて一次処理水が製造される。一次活水器で製造された一次処理水は、循環系統によって一次活水器を複数回循環し、送水器によって再度一次活水器内に強制的に送られてセラミック処理が複数回繰り返される。複数回一次活水器を循環した一次処理水は、二次活水器内に導かれて磁石体と接触することにより、磁気処理されて二次処理水が製造される。
【０００９】
請求項２に係る発明は、請求項１に記載の活水装置において、前記一次活水器内には、複数個のセラミックボールを一次活水器内の所定の位置に保持し、セラミックボールが転動して互いに接触するのを阻止する保持機構が少なくとも一カ所設けられていることを特徴とする。
本発明による活水装置によれば、一次活水器内において、複数個のセラミックボールは少なくとも一カ所設けられている保持機構によって所定の位置に保持されて転動して互いに接触するのが阻止されるので、水道水等の原水又は一次処理水を一次活水器内に導いても、その水圧によってセラミックボールが一次活水器内で転動するようなことはなく、セラミックボール同士が接触して磨耗するようなことはない。
【００１０】
請求項３に係る発明は、原水を一次活水器内に導いて一次活水器内に収容されているセラミックボールと接触させ、この水を一次活水器に連接された強制循環系統により一次活水器内に複数回強制循環させて一次処理水とし、この一次処理水を二次活水器内に導き、そこで磁界を作用させることにより一次処理水を磁気処理することにより、活性水素を含む活水にすることを特徴とする。
本発明による活水の製造方法によれば、天然水や水道水等の原水は、一次活水器内に導かれてセラミックボールと接触するだけでなく、強制循環系統により強制的に複数回セラミックボールと長時間接触することにより、セラミック処理されて一次処理水が製造される。一次活水器内で製造された一次処理水は、二次活水器内に導かれて磁界が作用させることにより、磁気処理されて活性水素を含んだ活水が製造されることになる。
【００１１】
請求項４に係る発明は、一次活水器内への水の循環が平均３回以上となるように強制循環させるようにした請求項３記載の活水の製造方法である。
本発明によれば、セラミックボールと水の接触時間が長くなり、より活性水素が多く含んだ活水が得られる。
【００１２】
請求項５に係る発明は、一次活水器内への原水の供給と強制循環系統を経た水の供給とが同一のまた別のポンプによって行われる請求項３記載の活水の製造方法である。
本発明によれば、ポンプにより水が強制循環されるので、セラミックボールとの効率のよい接触が得られる。
【発明の効果】
【００１３】
以上、説明したように、本発明の活水装置及び活水の製造方法によれば、水道水等の原水を一次活水器内に導き、一次活水器内でセラミックボールと接触させてセラミック処理することにより、一次処理水を製造することができる。そして、この一次処理水を循環系統によって一次活水器を複数回循環させることにより、セラミック処理を複数回繰り返した一次処理水が得られる。そして、この一次処理水を二次活水器内に導き、二次活水器内で磁石体と接触させて磁気処理することにより、二次処理水を製造することができる。
従って、水道水等の原水を１回のセラミック処理及び磁気処理によって活性化させたものに比べて、十分に活性化させることができるので、健康の促進、健康の維持等に優れた効果が得られる活水が得られることになる。
また、一次活水器内には、セラミックボールを一次活水器内の所定の位置に保持して転動を阻止する保持機構が設けられているので、一次活水器内に水道水等の原水又は一次処理水を導いても、その水圧によってセラミックボールが転動するようなことはなく、セラミックボール同士が接触して磨耗するのを防止でき、長期的に安定した性能を発揮することができることになる。
【発明を実施するための最良の形態】
【００１４】
以下、図面に示す本発明の実施の形態について説明する。
図１〜図３には、本発明による活水装置の一実施の形態が示されていて、この活水装置１は、架台２と、架台２の上部に配置される一次活水器３と、一次活水器３に接続される循環系統３１と、一次活水器３に接続される二次活水器３８とを備えている。
【００１５】
一次活水器３は、水道水等の原水をセラミック処理することにより、活性化した一次処理水を製造するものであって、原水の流入口７と一次処理水の流出口８、９とを有する略円筒状の一次処理容器４と、一次処理容器４内に充填される複数の球状のセラミックボール３０と、セラミックボール３０を一次処理容器４内に保持する保持機構２１とを備えている。なお、この保持機構２１は１カ所とは限らず、複数カ所に設けられてもよい。
【００１６】
一次処理容器４は、下端が閉塞された筒状をなす容器本体６と、容器本体６の上端開口部を閉塞する円板状の蓋１４とから構成されるものであって、内部に密閉された空所５が形成されている。
【００１７】
容器本体６の下端中央部には、空所５内外を上下方向に貫通する流入口７が設けられ、この流入口７を介して一次処理容器４内に水道水等の原水が流入するように構成されている。
【００１８】
容器本体６の上端部側面には、空所５内外を水平方向に貫通する第１流出口８と第２流出口９が径方向に対向して設けられ、この第１流出口８及び第２流出口９を介して一次処理容器４内から一次処理水が外部に流出するように構成されている。第１流出口８には後述する循環系統３１が接続され、第２流出口９には後述する二次活水器３８が接続されている。
【００１９】
容器本体６の上端開口部には、径方向外方に環状に張り出るフランジ１２が一体に設けられ、このフランジ１２の上面側にパッキン１３を介して蓋１４を位置し、蓋１４とフランジ１２との間の複数箇所をねじ１７で締め付けることにより、容器本体６の上端開口部に蓋１４が一体に取り付けられている。
【００２０】
容器本体６の下端部側面には、空所５内外を水平方向に貫通する四角形状の点検口１０が設けられ、この点検口１０を介して一次処理容器４内の点検を行なうように構成されている。点検口１０には四角板状の点検蓋１１が着脱自在に取り付けられている。
【００２１】
蓋１４には、リリーフ口１５とエアーベント口１６とが上下面間を貫通した状態で設けられている。リリーフ口１５にはボールバルブ１８を介してリリーフ管１９が接続され、このリリーフ口１５、ボールバルブ１８及びリリーフ管１９を介して一次処理容器４内の圧力を外部に逃がすことにより、一次処理容器４内が所定の圧力に調整されている。エアーベント口１６にはリリーフバルブ２０が接続され、このリリーフバルブ２０を介して一次処理容器４内のエアーを外部に逃がすことにより、一次処理容器４内が所定の圧力に調整されている。
【００２２】
一次処理容器４内には保持機構２１が設けられている。保持機構２１は、容器本体６内の上端部に水平に固定される円板状の第１固定板２２と、容器本体６の下端部に水平に固定される円板状の第２固定板２３と、第１固定板２２の下方に所定の間隔をおいて上下方向に移動可能に設けられる円板状の第１可動板２４と、第１固定板２２と第１可動板２４との間の複数箇所に介装される圧縮スプリング２７と、第１可動板２４の下方に所定の間隔をおいて上下方向に移動可能に設けられる円板状の第２可動板２５と、第２可動板２５の下方に所定の間隔をおいて上下方向に移動可能に設けられる円板状の第３の可動板２６と、第２可動板２５と第３可動板２６との間の複数箇所に介装される圧縮スプリング２７とから構成されている。
【００２３】
第１可動板２４と第２可動板２５との間には、所定の容積の第１空所２８が設けられ、第３可動板２６と第２固定板２３との間には、所定の容積の第２空所２９が設けられ、この第１空所２８及び第２空所２９内にはそれぞれセラミックボール３０が満杯に充填されている。この場合、第１空所内２８のセラミックボール３０は、圧縮スプリング２７によって第１可動板２４が下方に付勢され、圧縮スプリング２７によって第２可動板２５が上方に付勢されることにより、第１可動板２４と第２可動板２５との間で上下方向から相対的に押圧され、第１空所２８内において転動して互いに接触するのが防止されている。また、第２空所内２９のセラミックボール３０は、圧縮スプリング２７によって第３可動板２６が下方に付勢されることにより、第３可動板２６と第２固定板２３との間で上下方向から相対的に押圧され、第２空所２９内において転動して互いに接触するのが防止されている。
【００２４】
第１固定板２２、第２固定板２３、第１可動板２４、第２可動板２５、及び第３可動板２６には、それぞれ上下面間を貫通する通孔２２ａ、２３ａ、２４ａ、２５ａ、２６ａが複数箇所に設けられている。各通孔２２ａ、２３ａ、２４ａ、２５ａ、２６ａの直径は、セラミックボール３０の直径よりも小さく設定され、セラミックボール３０が各通孔２２ａ、２３ａ、２４ａ、２５ａ、２６ａを通過するのを防止している。この実施の形態においては、通孔２２ａ、２３ａ、２４ａ、２５ａ、２６ａの直径を５ｍｍ、セラミックボール３０の直径を１０ｍｍに設定している。第１固定板２２、第２固定板２３、第１可動板２４、第２可動板２５、及び第３可動板２６としては、市販のパンチングメタル等が有効である。
【００２５】
セラミックボール３０としては、例えば、市販品である多孔質活性アルミナの遠赤外線放射セラミックボールが有効である。多孔質活性アルミナの遠赤外線放射セラミックボール３０は、水のクラスター（分子集団）を小さくする、原水中の塩素、有機物を吸着する等の機能を有している。
【００２６】
循環系統３１は、一端が一次活水器３の流入口７に接続され、他端が第１流出口８に接続される循環管３２と、循環管３２の途中に設けられる循環ポンプ３３とから構成され、循環ポンプ３３の作動により、循環管３２を介して一次活水器３でセラミック処理した一次処理水を複数回一次活水器３を循環させるように構成されている。すなわち、この循環系統３１は、一次活水器３に連接されている原水の供給部分の反対側に、一次活水器３の流入口７に接続された吸水口があり、原水供給部分の近くに、第１流出口８に接続された吐出口がある。また、循環ポンプ３３は、送水器として原水と循環系統３１の循環水を再度一次活水器３内に強制的に送るものである。
この実施の形態においては、循環ポンプ３３に、寸法：８００Ｌ×８００Ｗ×１７５０Ｈ、重量：４００ｋｇ、流速：５ｍ／ｓｅｃ以上、耐性：５ｋｇ／ｃｍ２のものを使用している。
【００２７】
循環管３２の一次活水器３の流入口７に隣接する部分にはボールバルブ３４が設けられ、このボールバルブ３４の開閉により一次活水器３の流入口７が開閉される。ボールバルブ３４と流入口７との間にはドレン管３５が分岐して接続され、このドレン管３５の先端にはボールバルブ３６が設けられ、このボールバルブ３６の開閉により循環管３２内に溜まったドレンを循環管３２外に排出させることができる。
【００２８】
一次活水器３の第２流出口９には流出管３７を介して二次活水器３８が接続されている。二次活水器３８は、流入口４０と流出口４１とを有する箱状の二次処理容器３８と、二次処理容器３９内に収納される永久磁石、強磁性体等からなる磁石体４２とから構成されている。二次処理容器３８の流入口４０は一次活水器３の第２流出口９に接続され、流出口４１にはボールバルブ４３が接続され、ボールバルブ４３と流出口４１との間には逆洗管４４及びサンプリング管４６が分岐して接続され、逆洗管４４の先端にボールバルブ４５が設けられ、サンプリング管４６の先端にコック４７が設けられている。
【００２９】
一次活水器３の第２流出口９から流出する一次処理水は、流入口４０から二次活水器３８内に流入することにより、二次活水器３８の内部で磁石体４２により磁気処理されて二次処理水となり、この二次処理水が流出管３７及びボールバルブ４３を介して装置外に流出する。
【００３０】
循環管３２の第１流出口８に隣接する部分には、グローブバルブ４８及びチャッキバルブ４９がそれらの順に取り付けられ、グローブバルブ４８により第１流出口８が開閉され、チャッキバルブ４９により一次処理水の一方向への流れが許容されている。
【００３１】
循環管３２の循環ポンプ３３とチャッキバルブ４９との間には流入管５０が分岐して接続され、この流入管５０にはチャッキバルブ５１及びグローブバルブ５２が循環管３２側からそれらの順に接続され、このグローブバルブ５２及びチャックバルブ５１を介して水道水等の原水が循環管３２内に供給され、循環管３２を介して一次活水器３内に供給される。
【００３２】
一次活水器３の一次処理容器４の側面には制御盤５３が取り付けられ、この制御盤５３には、電源のＯＮ−ＯＦＦスイッチ５４、手動―自動切換えスイッチ５５が設けられ、これらのスイッチ５４、５５を操作することにより、活水装置１を手動又は自動で運転することができる。
【００３３】
そして、上記のように構成したこの実施の形態による活水装置１を用いて本発明による活水の製造方法を実施するには、流入管５０のグローブバルブ５２を水道等の給水源に接続し、給水源からグローブバルブ５２、チャッキバルブ５１を介して循環系統３１の循環管３２内に水道水等の原水を流入させる。
【００３４】
そして、循環系統３１の循環ポンプ３３を作動させて、循環管３２を介して原水を流入口７から一次活水器３の一次処理容器４内に強制的に流入させ、一次処理容器４内において原水をセラミックボール３０に強く接触させてセラミック処理し、活水化した一次処理水を製造し、一次処理水を第１流出口８から循環管３２内に流出させる。
【００３５】
そして、循環管３２を介して再び流入口７から一次処理容器４内に流入させ、一次処理容器４内において一次処理水をセラミックボール３０に接触させ、一次処理水をセラミック処理して更に活性化を高めた一次処理水とし、この一次処理水を再び第１流出口８から循環管３２内に流入させることを例えば３回程度繰り返す。
【００３６】
そして、このような一次活水器３による原水のセラミック処理及び一次処理水のセラミック処理が完了した後に、流出管３７のボールバルブ４３を開くことにより、一次処理容器４の第２流出口９から流出管３７内に一次処理水を流出させ、一次処理水を流入口４０から二次活水器３８の二次処理容器３９内に流入させ、二次処理容器３９内において一次処理水を磁石体４２と接触させることで磁界を作用させて、一次処理水を磁気処理して二次処理水を製造し、二次処理水を流出口４１から流出管３７内に流出させ、流出管３７の先端部のボールバルブ４３を介して外部に流出させる。このようにして、酸化還元電位が低く、クラスターが小さくなった二次処理水である活性水素を含む活水が得られることになる。なお、コック４７を開くことによっても、サンプリング管４６を介して二次処理水である活性水素を含む活水が得られることになる。
【００３７】
なお、一次活水器３、二次活水器３８、循環管３２、流入管５０、流出管３７等の内部を洗浄する場合には、逆洗入管４４のボールバルブ４５から洗浄液等を装置の内部に流入させ、装置内の各部を循環させることにより、装置内の各部を洗浄することができるものである。
【００３８】
上記のように構成したこの実施の形態による活水装置及び活水の製造方法にあっては、原水を一次活水器３によりセラミック処理して活性化した一次処理水を製造し、この一次処理水を循環系統３１を介して複数回一次活水器３を循環させて、セラミック処理を繰り返すことにより、更に活性化を高めた一次処理水を製造し、この一次処理水を二次活水器３８により磁気処理して二次処理水を製造しているので、１回のセラミック処理及び磁気処理によって活性化した活水を製造する従来のものに比べて、さらに活性化を高めた活水を製造することができ、健康促進、健康維持等に優れた効果を発揮する活性水素を含んだ活水を提供することができる。
【００３９】
なお、出願人のホームページ（ｈｔｔｐ：／／ｗｗｗ．ｈｉｓｕｉ−ｔｅｃｈｎｏｓ．ｃｏｍ／〜ｗａｔｅｒ／参照）において、活水を飲用したモニターによる飲用効果が掲載されている。その主な効果を以下に示す。
（１）モニターの殆どが、３ヶ月間の試飲後、血糖値が正常値に改善された。
（２）血尿が止まるなど、ガンの症状が改善された。
（３）血圧が低下し、正常値になった。
（４）血液がきれいになった。
（５）肝臓の調子がよくなった。
（６）減量してむくみが取れるなど、ダイエット効果があった。
（７）アトピー、肌荒れが治った。
（８）血糖値が正常値に改善され、減量するとともに、便秘が治った。
（９）身体が軽くなり、体力がついた。
（１０）ペットに飲ませたところ、ペットの排泄物消臭効果が得られた。
【図面の簡単な説明】
【００４０】
【図１】本発明による活水装置の一実施の形態を示した正面図である。
【図２】図１の右側面図である。
【図３】図１の平面図である。
【符号の説明】
【００４１】
１  活水装置
３  一次活水器
２１  保持機構
３０  セラミックボール
３１  循環系統
３８  二次活水器
４２  磁石体
【図１】
2005095790.tif 000003
【図２】
2005095790.tif 000004
【図３】
2005095790.tif 000005